(57)【要約】【課題】ガス供給源を開放するだけで消火活動に移行できる二流体消火システムを提供する。【解決手段】二流体消火システム１には、ガスボンベ２、圧力調節器４、エア駆動式ポンプ１４及び二流体２２を噴射できる二流体用消火具６とが備えられている。ガスボンベ２から供給されるガス１６は、圧力調節器４によって圧力調節され、消火用ガスホース８と駆動用ガスホース１０との二系統に分岐される。分岐された一方は、消火用ガス１６ａとして消火用ガスホース８から二流体用消火具６へ送られる。また、分岐された他方は、駆動用ガスホース１０を介してエア駆動式ポンプ１４の駆動用ガス１６ｂとして送られる。駆動用ガス１６ｂが送られたエア駆動式ポンプ１４は、水供給源２０から消火用水１８を汲み出し、二流体用消火具６へ送る。消火用ガスホース８と駆動用ガスホース１０とは、ガスボンベ２側で連通しており、一つの圧力調節器４により圧力管理されている。【選択図】図１
2015039532.tif 000002
【特許請求の範囲】
【請求項１】
ガスを貯留するガスボンベと、
前記ガス及び水を混合して二流体を噴射できるノズルを有した消火具と、
前記ガスボンベと前記消火具との間に繋がれ、前記ガスの一部を消火用ガスとして前記消火具へ送る消火用ガスホースと、
エア駆動式であって、前記水を水供給源から前記消火具へ送るポンプと、
前記ガスボンベと前記ポンプとの間に繋がれ、前記ガスの一部を駆動用ガスとして前記ポンプへ送る駆動用ガスホースと、
を備えたことを特徴とする二流体消火システム。
【請求項２】
前記消火用ガスホースと前記駆動用ガスホースとは、前記ガスボンベ側で連通していることを特徴とする請求項１に記載の二流体消火システム。
【請求項３】
前記水供給源は、前記水を貯留する水タンクであることを特徴とする請求項１又は２に記載の二流体消火システム。
【請求項４】
前記消火具は、前記ガス及び前記水に対する遮断及び開放の切り換えを同時に行うことができ、前記ガスと前記水とからなる二流体の噴射を制御できるトリガを備えていることを特徴とする請求項３に記載の二流体消火システム。
【発明の詳細な説明】
【技術分野】
【０００１】
本発明は、水などの消火液に不燃性の圧縮ガスを混合した霧状の二流体を噴射する二流体消火システムに関する。
【背景技術】
【０００２】
水だけを噴射する従来の消火方法では水損が大きいため、大量に散布されても、そのうち消火に対して有効に作用する水の割合は僅かである。これは、視点を変えると、消火に寄与しない水によって、室内の器物が無駄に破壊される上、消火時間も長くなるということである。
【０００３】
このため、消火に対して有効に作用する水の割合を大きくすることにより消火効率を向上させ、消火時間の短縮化を図ることができる消火システムが望まれる。
【０００４】
このような問題に鑑みて、水損対策として、少ない水量でも効率良く消火することができる消火システムが考えられている。
【０００５】
このうち、二流体による消火システムについて特許文献１に開示がある。図５は、特許文献１に記載された、従来の二流体噴霧消火システム１０１の構成を示したブロック図である。図５から分かるように、二流体噴霧消火システム１０１では、貯水槽１０３が備えられており、ポンプ１０４を用いて貯水槽１０３の水１０６ａが消火用水として送られる。また、ガス１０５ａを供給するためにコンプレッサー又はボンベ１０２が備えられている。水１０６ａ及びガス１０５ａは、液体流量調整装置１０９及び気体流量調整装置１０８により、それぞれの流量が調整され、二流体一体型ホース１１１から気送管１０５及び液送管１０６を介して二流体ノズル１０７へ送られる。二流体ノズル１０７近傍の上流側では、二流体同時開閉バルブ１１０が設けられており、水１０６ａ及びガス１０５ａの流れに対して遮断及び開放の制御が行われる。
【０００６】
このように構成されているので、消火作業者は、必要に応じて手元の二流体同時開閉バルブ１１０を操作し、水１０６ａ及びガス１０５ａを無駄に消費することなく適切に消火活動を行うことが可能となる。
【０００７】
上記の例とは別に、二流体による消火システムの異なる構成について特許文献２にも開示がある。図６は、特許文献２に記載された従来の高圧水噴霧消火装置２０１の全体構成を示した図である。この高圧水噴霧消火装置２０１は、ガスを貯留するガスボンベ２０２と、消火用の水を貯留する水タンク２０３とを備えている。そして、ガスボンベ２０２からノズル２０４側と水タンク２０３側へ別々にガスを供給できる構成となっている。すなわち、二流体を噴射するノズル２０４へ、ガスボンベ２０２から直接ガスを消火用として供給する一方で、水タンク２０３内へも高圧のガスが送られる。そして、水タンク２０３内に送られた高圧のガスによって内圧が上昇し、水タンク２０３内の水が押し出されてノズル２０４へ送られる。これにより、ノズル２０４においてガスと水とを混合して、極微細な霧状の水を噴射することができる。
【０００８】
以上のように、水にガスを混合して霧状の二流体にすると、噴射されるガスの流れに乗って霧状の水を遠方の火点まで到達させることができる。そして、霧状になった水は火炎などとの間で効率良く熱交換できるので、優れた冷却効果が得られる。また、噴射されるガスによる吹き消し効果も認められている。これにより、水損低減を図ると共に、消火時間の短縮が可能となる。
【先行技術文献】
【特許文献】
【０００９】
【特許文献１】特開２００４−７３３８４号公報
【特許文献２】特開平１１−４７２９８号公報
【発明の概要】
【発明が解決しようとする課題】
【００１０】
しかしながら、図５に示した特許文献１に記載の構成では、水１０６ａの供給経路とガス１０５ａの供給経路とがそれぞれ独立に設けられているので、圧力や流量などを個別に管理する必要がある。このため、消火作業に入る前の確認作業も煩雑になり、準備のために一定の時間を要する。
【００１１】
また、図６に示した特許文献２に記載の構成では、水タンク２０３から送り出される水の量は送水管上に設けられたバルブにより調節する必要がある。すなわち、通常時は、バルブを閉じておかなくてはならないので、消火活動に入る際に、ガスのバルブと水のバルブとをそれぞれ操作する必要がある。また、消火に適した二流体を生成するためには水圧とガス圧とを適正な値になるように調節する必要があり、非常事態において正確な作業が要求される。
【００１２】
このように、図５及び図６の何れの構成であっても、消火活動に入るまでの流量調節又は確認に時間を要し、初期消火による効果が十分に得られない場合も生じ得る。
【００１３】
そこで、本発明では、上記課題を解決するため、ガスの供給源を開放するだけで、適正な混合比の二流体を生成することのできる二流体消火システムを提供することを目的とする。
【課題を解決するための手段】
【００１４】
上記目的を達成するために、本発明の二流体消火システムは、ガスを貯留するガスボンベと、ガス及び水を混合して二流体を噴射できるノズルを有した消火具と、ガスボンベと消火具との間に繋がれ、ガスの一部を消火用ガスとして消火具へ送る消火用ガスホースと、エア駆動式であって、水を水供給源から消火具へ送るポンプと、ガスボンベとポンプとの間に繋がれ、ガスの一部を駆動用ガスとしてポンプへ送る駆動用ガスホースと、を備えたことを特徴とする。
【００１５】
また、本発明の二流体消火システムは、上記構成に加えて、消火用ガスホースと駆動用ガスホースとは、ガスボンベ側で連通していることを特徴とする。
【００１６】
また、本発明の二流体消火システムは、上記構成に加えて、水供給源は、水を貯留する水タンクであることを特徴とする。
【００１７】
また、本発明の二流体消火システムは、上記構成に加えて、消火具が、ガス及び水の遮断及び開放の切り換えを同時に行うことができ、ガスと水とからなる二流体の噴射を制御できるトリガを備えていることを特徴とする。
【発明の効果】
【００１８】
以上のように、本発明に係る二流体消火システムによれば、ボンベのガス圧を解放することにより、消火用ガスと消火用水とが共に消火具へ送られるので、簡易な操作を行うことにより短時間で消火作業に移ることが可能となる。また、ボンベのガスは消火用ガスとポンプの駆動用ガスとして利用されるので、電力を必要としない。
【００１９】
また、本発明に係る二流体消火システムによれば、上記効果に加えて、消火用ガスホースと駆動用ガスホースとのガス圧が等しくなるので、両者の圧力管理が簡素化される。すなわち、圧力調整用の部品点数を削減できる上に、操作時又はメンテナンス時における確認・調整箇所を少なくできるので、確実かつ迅速に消火作業を行うことが可能となる。
【００２０】
また、本発明に係る二流体消火システムによれば、上記効果に加えて、水供給設備のない場所でも設置することができるので、用途が広がる。
【００２１】
また、本発明に係る二流体消火システムによれば、上記構成に加えて、消火具のトリガ操作により、消火用ガスの供給と、水を供給するためのポンプの制御とを同時に行うことができる。これにより、少ない人員で消火作業を行うことが可能となる。
【図面の簡単な説明】
【００２２】
【図１】本発明の二流体消火システムの概略を示すブロック図である。
【図２】図１の二流体消火システムの具体的構成を示す全体図である。
【図３】図２の二流体消火システムの圧力調節器周辺の拡大図である。
【図４】図２の二流体消火システムの消火具の拡大図である。
【図５】従来の二流体噴霧消火システムの構成を示すブロック図である。
【図６】従来の高圧水噴霧消火装置の全体構成を示す図である。
【発明を実施するための形態】
【００２３】
以下、本発明の実施の形態に係る二流体消火システムについて、図を用いて説明する。なお、実質的に同じ構成については同一符号を付して示す。
【００２４】
図１は、本発明に係る二流体消火システム１の概要をブロック図で示している。そして、図２は、二流体消火システム１の具体例についての全体図を示すと共に、図３には、圧力調節器４及びその周辺についての拡大図を示し、図４には、二流体用消火具６の拡大図を示している。
【００２５】
先ず、図１を参照して、本発明の二流体消火システム１は、ガスボンベ２、圧力調節器４、エア駆動式ポンプ１４及び二流体用消火具６を備えている（点線で囲まれた構成。）。ガスボンベ２には不燃性のガス（窒素ガスなど）が充填されており、このガスボンベ２から供給されるガスは、圧力調節器４により所定の圧力が得られるように降圧されて、下流側へ送られる。本実施の形態に係る二流体消火システム１では、降圧されたガス圧は、０．５ＭＰａ±２０％の範囲に収まるように調節されている。なお、大気圧は０．１ＭＰａである。
【００２６】
図１に示すように、この降圧されたガス１６は二系統に分岐される。分岐された一方は、そのまま二流体用消火具６へ送られ、消火用ガス１６ａとして用いられる。これに対して、分岐された他方は、エア駆動式ポンプ１４に送られ、駆動用ガス１６ｂとして用いられる。このエア駆動式ポンプ１４にはダイアフラムポンプ等が適している。エア駆動式ポンプ１４に駆動用ガス１６ｂが送られると、送水管１３を介して水供給源２０から取水された消火用水１８が、エア駆動式ポンプ１４及び送水管１２を通って二流体用消火具６へ送られる。
【００２７】
このようにして、送られた消火用ガス１６ａと消火用水１８とが、二流体用消火具６で消火に適した割合で混合され、二流体が噴霧可能となる。
【００２８】
具体的には、４０リットル／ｍｉｎ±２０％で供給される消火用水１８に対して、１０００リットル／ｍｉｎ±２０％の比率で消火用ガス１６ａが供給されるのが望ましい。
【００２９】
図２に二流体消火システム１の具体例を示す。本実施の形態に係る二流体消火システム１は、格納箱２４に格納されている。図２では、内部の格納状態が分かるように、左右の扉２４ｄ、２４ｅが開いた状態で示されている。図１の構成と比較して、図２の二流体消火システム１には、水供給源２０である貯水タンク２０が一体的に並設されている。また、不燃性のガス１６を充填したガスボンベ２の具体例として窒素ボンベ２が示されている。さらに、エア駆動式ポンプ１４の具体例としてダイアフラムポンプ１４、そして、二流体用消火具６としては、ガンタイプの二流体用消火具６が示されている。二流体消火システム１及び貯水タンク２０を格納する格納箱２４は、貯水タンク２０を収納するタンク収納部２４ａと、窒素ボンベ２を収納するボンベ収納部２４ｂと、二流体用消火具６及び一体型ホース１１を収納するホース収納部２４ｃとに区画されている。
【００３０】
タンク収納部２４ａには、アングル材で形成された架台２６が設けられ、この架台２６の上に貯水タンク２０が配置されている。また、貯水タンク２０の下方で架台２６に囲われた空間には、貯水タンク２０の消火用水１８を送るダイアフラムポンプ１４が配置されている。
【００３１】
ボンベ収納部２４ｂには、窒素ボンベ２が配置されている。この窒素ボンベ２には、圧力調節器４が設けられている。この圧力調節器４の下流側には、経路を２つに分岐する分岐管５（図３を用いて後述する。）が設けられており、消火用ガスホース８と駆動用ガスホース１０とが接続されている。
【００３２】
ホース収納部２４ｃには、ホース掛け２８が設けられている。このホース掛け２８は大きさの異なる３枚の板状部材（載置板２８ａ、２８ｂ、２８ｃ）で構成されており、上方側の載置板２８ａに対して下方側の載置板２８ｂ、２８ｃが順に小さくなるように構成されている。消火用水１８を送るホース（後述する送水管１２）と消火用ガスホース８とは、下流側で一体型ホース１１によって１本に纏められている。ホース収納部２４ｃでは、この一体型ホース１１が、ホース掛け２８に引っ掛けるように３重に巻回した状態で収納されている。
【００３３】
これにより、消火作業時には、作業者が二流体用消火具６を掴んで消火位置へ向かう際、一体型ホース１１は、巻回された外側の部分と干渉することなく、内側からスムーズに引き出され、迅速に消火地点へ移行することができる。
【００３４】
ここで、図３を参照して、窒素ボンベ２の上端にはバルブ２ａが設けられている。そして、バルブ２ａの下流側には、上述のように、ガス圧を所定の圧力に降圧するための圧力調節器４が設けられている。また、上述の分岐管５は、この圧力調節器４の下流側近傍に設けられている。このように、窒素ボンベ２の近傍では、消火用ガスホース８と駆動用ガスホース１０とを接続する分岐管５は連通しており同圧となっているので、両ホース８、１０内のガス圧は、一つの圧力調節器４で管理することが可能である。
【００３５】
本実施の形態に係るダイアフラムポンプ１４はエア駆動式（図２参照）であり、駆動用ガスホース１０と接続されている。このように、本実施の形態に係るダイアフラムポンプ１４は、消火用ガス１６ａと同圧の駆動用ガス１６ｂによって消火用水１８（図１、２参照）を供給できる能力を備えたものが採用されている。
【００３６】
次に、図４を参照して、二流体用消火具６の構造について説明する。二流体用消火具６には、上述のように、消火用ガスホース８とダイアフラムポンプ１４から消火用水１８を供給する送水管（送水用ホース）１２とが接続されている。このように別々に送られてきた消火用水１８及び窒素ガス１６（消火用ガス１６ａ）は、不使用時（待機状態）においては、内部に遮断手段
として設けられた遮断弁（図示せず）等によって遮断状態となっている。この遮断弁は、トリガ６ｂを操作することにより開放又は遮断することができる。そして、トリガ６ｂの操作により遮断弁が開放されると、消火用水１８と消火用ガス１６ａ（窒素ガス１６の一部）とが消火ノズル６ａにおいて混合され、霧状の二流体２２として噴射される。
【００３７】
以上のような構成により、窒素ボンベ２のバルブ２ａを開くだけで、消火に適した混合比を満たすように消火用ガス１６ａ及び消火用水１８が二流体用消火具６へ供給可能な状態となる。したがって、作業者は、バルブ２ａを開放すれば消火作業のための準備が完了し、その後は、二流体用消火具６のトリガ６ｂを操作するだけで即座に二流体２２を噴霧可能な状態となる。このように本実施の形態に係る二流体消火システム１によれば、消火作業に移行する前の準備に要する時間を大幅に短縮することが可能となる。
【００３８】
また、上述のように、消火準備について複雑な作業を要しないので、緊急時であっても正確かつ安全に作業を行うことができる。すなわち、経験の乏しい作業者であっても直観的な操作にて容易に消火作業を行うことができ、少人数で対応することも可能である。
【００３９】
さらに、消火用のガスの一部を利用して、水を供給するためのポンプを駆動できるので、電力設備のない場所であっても広く設置が可能である。このため、電力供給が断たれるような大規模災害時においても、本実施に係る二流体消火システム１であれば、安全且つ確実に消火作業を行うことができる。
【００４０】
なお、本実施の形態では、二流体消火システム１に貯水タンク２０を備えた構成を例として示したが、水道設備が整えられている場合は、貯水タンク２０を備えていなくても構わない。この場合、水道設備とダイアフラムポンプ１４とを接続すると、圧力調節器４で設定された所定の圧力で送られる駆動用ガス１６ｂの圧力に基づいて、所定の供給量の消火用水１８が送水管１２から送られる。すなわち、水供給源の形態に関わらず、消火用ガス１６ａと消火用水１８との混合比は一定に保たれ、消火に適した二流体２２を同様に噴射することが可能となる。
【００４１】
また、本実施の形態では、格納箱２４に設置された据え置き型の二流体消火システム１を例として示したが、移動可能に構成しても構わない。さらに、貯水池等の水源が確保されており、水を十分に利用できる施設などにおいては、貯水タンク２０を備えず軽量に構成することも可能である。
【００４２】
また、本実施の形態では、消火用ガスホース８と駆動用ガスホース１０とは、窒素ボンベ２側で連通し、一つの圧力調節器４で管理できる構成を例として示した。しかし、消火用ガスホース８と駆動用ガスホース１０とにそれぞれ異なる圧力調節器を設け、互いに独立して圧力管理する構成であっても構わない。この場合、ポンプの供給量について調整幅が広がるので、接続されるホースの長さや、消火ノズルの能力に応じて柔軟に組み合わせて対応することが可能となる。
【産業上の利用可能性】
【００４３】
本発明の二流体消火システムは、二流体ノズルを有する消火具、ガスボンベ及びエア駆動式のポンプを必須の構成としており、電力供給を要することなく、ガスボンベのガス圧を利用して消火用水を送水できる。これにより、貯水池や水道設備など取水できるところであれば、貯水タンクを備えずとも、可動式の二流体消火システムとして利用することができる。
【符号の説明】
【００４４】
１      二流体消火システム    
２      窒素ボンベ（ガスボンベ）    
２ａ      バルブ    
４      圧力調節器    
５      分岐管
６      二流体用消火具  
６ａ      消火ノズル    
６ｂ      トリガ    
８      消火用ガスホース
１０      駆動用ガスホース  
１１      一体型ホース
１２、１３      送水管      
１４      ダイアフラムポンプ（エア駆動式ポンプ）
１６      窒素ガス（ガス）      
１６ａ      消火用ガス    
１６ｂ      駆動用ガス    
１８      消火用水      
２０      貯水タンク（水供給源）  
２２      二流体      
２４      格納箱      
２４ａ      タンク収納部    
２４ｂ      ボンベ収納部    
２４ｃ      ホース収納部    
２４ｄ、２４ｅ      扉      
２６      架台      
２８      ホース掛け
２８ａ、２８ｂ、２８ｃ      載置板
【図１】
2015039532.tif 000003
【図２】
2015039532.tif 000004
【図３】
2015039532.tif 000005
【図４】
2015039532.tif 000006
【図５】
2015039532.tif 000007
【図６】
2015039532.tif 000008